(57)【要約】【課題】被写体の接写を確実かつ適正に行う接写機能付き携帯端末の提供。【解決手段】端末本体１のカメラ搭載面４が被写体２５を載置された任意の平坦面２４と約４５°を成すよう当該端末本体１を傾斜させて保持する本体カバー３と、カメラ５の光軸を端末本体１の他端の側に転向させると同時に、当該カメラ５をその光軸方向に沿って端末本体１の外部に突出させるために、本体カバー３の軸支端３ａに得られる回転力をカメラ５のカメラ回転円盤１４に伝達する差動連結ベルト１５とを有する特徴。【選択図】図２
2004179775.tif 000002
【特許請求の範囲】
【請求項１】
端末本体に搭載されたカメラを用いて任意の平坦面に載置された被写体を接写するための接写機能付き携帯端末であって、
前記端末本体の一端で軸支され、その開放端及び前記端末本体の他端を前記平坦面への設置点としつつ、前記端末本体のカメラ搭載面が前記平坦面と所定角度を成すよう当該端末本体を傾斜させて保持する本体傾斜保持手段と、
外力に応じて前記カメラの光軸を前記端末本体の他端の側に転向させると同時に、当該カメラをその光軸方向に沿って前記端末本体の外部に突出させることの可能なカメラ転向突出手段と、
このカメラ転向突出手段において前記カメラの光軸転向及び突出を行わせるための前記外力として、前記本体傾斜保持手段の軸支端に得られる回転力を前記カメラ転向突出手段に伝達する回転力伝達手段と、を具備する、
ことを特徴とする接写機能付き携帯端末。
【請求項２】
前記本体傾斜保持手段による前記端末本体の傾斜保持時に、当該端末本体の前記カメラ搭載面に設けられた被写体照明用のランプを点灯させて前記平坦面上の前記被写体を照明する被写体照明手段を、さらに具備する、
ことを特徴とする請求項１に記載の接写機能付き携帯端末。
【請求項３】
前記本体傾斜保持手段は、
その未使用時において前記カメラ及び前記ランプを外部に露出させることの可能な開口窓を有する本体カバーと、
前記端末本体の前記カメラ搭載面に対する当該本体カバーの開扉角を所定角度に制限する開扉ストッパと、を有する、
ことを特徴とする請求項２に記載の接写機能付き携帯端末。
【請求項４】
前記被写体照明手段は、
前記本体カバーの軸支端及び前記開扉ストッパが対向する領域にそれぞれ配設され、前記開扉角が最大値に達したときに電気的に接触する第１及び第２の電気接点と、
これら第１及び第２の電気接点の接触に伴って前記ランプに適正な電流を供給するランプ点灯回路と、を有する、
ことを特徴とする請求項２又は３に記載の接写機能付き携帯端末。
【請求項５】
前記開扉ストッパは、
前記開扉角を最大で約４５°に制限するよう構成される、
ことを特徴とする請求項３又は４に記載の接写機能付き携帯端末。
【請求項６】
前記本体カバーの長手方向の長さは、
前記開扉角が最大値に達した状態において、前記端末本体の傾斜保持時における前記カメラ搭載面と前記平坦面との間の前記所定角度が約４５°を成すときの値に設定される、
ことを特徴とする請求項３、４又は５に記載の接写機能付き携帯端末。
【請求項７】
前記カメラ転向突出手段は、
レンズを保持する外筒と、
この外筒における対向する２箇所の側面部に前記レンズの光軸方向に沿ってそれぞれ貫設された２つの摺動スリットと、
前記外筒に内接する内筒と、
前記外筒上の前記２つの摺動スリット内をそれぞれ貫通するよう前記内筒における対応する２箇所の外側面に突設され、前記端末本体の内部において、前記レンズの光軸を前記端末本体の他端の側に転向させる軸方向にそれぞれ保持された２つのカメラ回転軸と、
これら２つのカメラ回転軸の少なくとも一方に周設され、前記本体カバーの前記軸支端に得られる前記回転力を前記回転力伝達手段を介して受容すると共に、当該回転力を該当する前記カメラ回転軸を介して前記内筒に伝達するカメラ回転円盤と、
前記外筒の外側面に前記カメラ回転軸の前記軸方向に向かって突設された調整突起と、
前記端末本体の内部に固定され、前記内筒に伝達された前記回転力が当該内筒に外接する前記外筒に伝達されたときに、前記カメラ回転軸を中心とした前記外筒上の前記調整突起の周回運動を抑止しながら、当該外筒を、前記２つの摺動スリット内の前記２つのカメラ回転軸に沿って外側に摺動させる第１の突起抑止板と、を有する、
ことを特徴とする請求項３、４、５又は６に記載の接写機能付き携帯端末。
【請求項８】
前記カメラ転向突出手段は、
前記端末本体の内部に固定され、前記内筒に伝達された前記回転力とは反対の逆回転力が当該内筒に外接する前記外筒に伝達されたときに、前記カメラ回転軸を中心とした前記外筒上の前記調整突起の逆周回運動を抑止して、当該外筒を、前記２つの摺動スリット内の前記２つのカメラ回転軸に沿って内側に摺動させる第２の突起抑止板を、さらに有する、
ことを特徴とする請求項７に記載の接写機能付き携帯端末。
【請求項９】
前記調整突起は、
前記外筒と一体に構成される、
ことを特徴とする請求項７又は８に記載の接写機能付き携帯端末。
【請求項１０】
前記２つのカメラ回転軸及び前記カメラ回転円盤は、
前記内筒と共に一体に構成される、
ことを特徴とする請求項７、８又は９に記載の接写機能付き携帯端末。
【請求項１１】
前記回転力伝達手段は、
前記本体カバーの前記軸支端に得られる前記回転力を直接受容する軸支回転筒と、
この軸支回転筒と前記カメラ回転円盤との間に亙って張設された差動連結ベルトと、を有する、
ことを特徴とする請求項３、４、５、６、７、８、９又は１０に記載の接写機能付き携帯端末。
【請求項１２】
前記カメラ回転円盤及び前記軸支回転筒の直径は、
等しい値に設定される、
ことを特徴とする請求項１１に記載の接写機能付き携帯端末。
【発明の詳細な説明】
【０００１】
【発明の属する技術分野】
本発明は、接写機能付き携帯端末に関し、詳しくは、端末本体に搭載されたカメラを用いて任意の平坦面に載置された被写体を接写するための接写機能付き携帯端末に係わる。
【０００２】
【従来の技術】
近年、ＰＨＳ（Ｐｅｒｓｏｎａｌ  Ｈａｎｄｙ−ｐｈｏｎｅ  Ｓｙｓｔｅｍ）を含む携帯電話機や携帯用ＰＣ（ＰＣ：Ｐｅｒｓｏｎａｌ  Ｃｏｍｐｕｔｅｒ）に、ＣＣＤ（Ｃｈａｒｇｅ  Ｃｏｕｐｌｅｄ  Ｄｅｖｉｃｅ）などの固体撮像素子からなるカメラを内蔵させ、撮影した画像の表示、保存、送信などを可能にした携帯端末が一般に利用されるようになり、さらに、この種のカメラ付き携帯端末により、バーコードや電子透かし入り画像などを撮影して、当該端末に情報認識処理を行わせることなども可能になっている。
【０００３】
例えば、特開２００２−１７６５０９号公報には、携帯電話機に内蔵されたカメラで直接撮影したバーコード（記号情報）の認識処理を実現するための技術が開示され、また、特開２００１−２６５９７０号公報には、各種スキャナやデジタルカメラで読み取った上記バーコード（２次元コード）を携帯電話機（通信端末器）に転送し、同携帯電話機においてバーコードの認識処理を実現するための技術が開示されている。
【０００４】
【発明が解決しようとする課題】
ところで、従来のカメラ付き携帯端末を用いて上記バーコードや電子透かし入り画像などを被写体とした撮影を行おうとする場合、自ずと、その被写体までの距離を約１０ｃｍ以下に抑えて接写を行う必要があるが、この場合、例えば、▲１▼焦点を合わせにくい、▲２▼手ぶれを起こしやすい、▲３▼あおり効果を起こしやすい、▲４▼端末や撮影者の手の影などにより被写体が暗くなりやすい、などの種々の問題が生じていた。
【０００５】
以上の接写に伴う種々の問題は、被写体の種類によらず不変的に生じるものであるが、特に、その被写体の種類を上記バーコードや電子透かし入り画像などに限った場合には、その情報認識率を高めるためカメラを被写体に正対させる必要があるため、さらに、▲５▼カメラが被写体に正対しているか否かを、携帯端末上のファインダやモニタ画面を通じて撮影者に判断させることが難しいという問題が生じていた。
【０００６】
ここにおいて、本発明の解決すべき主要な目的は、次のとおりである。
【０００７】
即ち、本発明の第１の目的は、被写体の接写を確実かつ適正に行うことの可能な接写機能付き携帯端末を提供せんとするものである。
【０００８】
本発明の第２の目的は、所要の接写に際して、被写体に対しカメラを自動的に正対させることの可能な接写機能付き携帯端末を提供せんとするものである。
【０００９】
本発明の他の目的は、明細書、図面、特に特許請求の範囲の各請求項の記載から、自ずと明らかとなろう。
【００１０】
【課題を解決するための手段】
本発明装置においては、端末本体のカメラ搭載面が被写体を載置された任意の平坦面と所定角度を成すよう当該端末本体を傾斜させて保持する本体傾斜保持手段と、外力に応じてカメラの光軸を端末本体の他端の側に転向させると同時に、当該カメラをその光軸方向に沿って端末本体の外部に突出させるカメラ転向突出手段と、本体傾斜保持手段の軸支端に得られる回転力をカメラ転向突出手段に伝達する回転力伝達手段とを具備させる、という特徴的構成手段を講じる。
【００１１】
さらに、具体的詳細に述べると、当該課題の解決では、本発明が次に列挙する上位概念から下位概念に亙る新規な特徴的構成手段を採用することにより、前記目的を達成するよう為される。
【００１２】
即ち、本発明装置の第１の特徴は、端末本体に搭載されたカメラを用いて任意の平坦面に載置された被写体を接写するための接写機能付き携帯端末であって、前記端末本体の一端で軸支され、その開放端及び前記端末本体の他端を前記平坦面への設置点としつつ、前記端末本体のカメラ搭載面が前記平坦面と所定角度を成すよう当該端末本体を傾斜させて保持する本体傾斜保持手段と、外力に応じて前記カメラの光軸を前記端末本体の他端の側に転向させると同時に、当該カメラをその光軸方向に沿って前記端末本体の外部に突出させることの可能なカメラ転向突出手段と、このカメラ転向突出手段において前記カメラの光軸転向及び突出を行わせるための前記外力として、前記本体傾斜保持手段の軸支端に得られる回転力を前記カメラ転向突出手段に伝達する回転力伝達手段とを具備してなる、写機能付き携帯端末の構成採用にある。
【００１３】
本発明装置の第２の特徴は、上記本発明装置の第１の特徴において、前記本体傾斜保持手段による前記端末本体の傾斜保持時に、当該端末本体の前記カメラ搭載面に設けられた被写体照明用のランプを点灯させて前記平坦面上の前記被写体を照明する被写体照明手段をさらに具備してなる、接写機能付き携帯端末の構成採用にある。
【００１４】
本発明装置の第３の特徴は、上記本発明装置の第２の特徴における前記本体傾斜保持手段が、その未使用時において前記カメラ及び前記ランプを外部に露出させることの可能な開口窓を有する本体カバーと、前記端末本体の前記カメラ搭載面に対する当該本体カバーの開扉角を所定角度に制限する開扉ストッパとを有してなる、接写機能付き携帯端末の構成採用にある。
【００１５】
本発明装置の第４の特徴は、上記本発明装置の第２又は第３の特徴における前記被写体照明手段が、前記本体カバーの軸支端及び前記開扉ストッパが対向する領域にそれぞれ配設され、前記開扉角が最大値に達したときに電気的に接触する第１及び第２の電気接点と、これら第１及び第２の電気接点の接触に伴って前記ランプに適正な電流を供給するランプ点灯回路とを有してなる、接写機能付き携帯端末の構成採用にある。
【００１６】
本発明装置の第５の特徴は、上記本発明装置の第３又は第４の特徴における前記開扉ストッパが、前記開扉角を最大で約４５°に制限するよう構成されてなる、接写機能付き携帯端末の構成採用にある。
【００１７】
本発明装置の第６の特徴は、上記本発明装置の第３、第４又は第５の特徴における前記本体カバーの長手方向の長さが、前記開扉角が最大値に達した状態において、前記端末本体の傾斜保持時における前記カメラ搭載面と前記平坦面との間の前記所定角度が約４５°を成すときの値に設定されてなる、接写機能付き携帯端末の構成採用にある。
【００１８】
本発明装置の第７の特徴は、上記本発明装置の第３、第４、第５又は第６の特徴における前記カメラ転向突出手段が、レンズを保持する外筒と、この外筒における対向する２箇所の側面部に前記レンズの光軸方向に沿ってそれぞれ貫設された２つの摺動スリットと、前記外筒に内接する内筒と、前記外筒上の前記２つの摺動スリット内をそれぞれ貫通するよう前記内筒における対応する２箇所の外側面に突設され、前記端末本体の内部において、前記レンズの光軸を前記端末本体の他端の側に転向させる軸方向にそれぞれ保持された２つのカメラ回転軸と、これら２つのカメラ回転軸の少なくとも一方に周設され、前記本体カバーの前記軸支端に得られる前記回転力を前記回転力伝達手段を介して受容すると共に、当該回転力を該当する前記カメラ回転軸を介して前記内筒に伝達するカメラ回転円盤と、前記外筒の外側面に前記カメラ回転軸の前記軸方向に向かって突設された調整突起と、前記端末本体の内部に固定され、前記内筒に伝達された前記回転力が当該内筒に外接する前記外筒に伝達されたときに、前記カメラ回転軸を中心とした前記外筒上の前記調整突起の周回運動を抑止しながら、当該外筒を、前記２つの摺動スリット内の前記２つのカメラ回転軸に沿って外側に摺動させる第１の突起抑止板とを有してなる、接写機能付き携帯端末の構成採用にある。
【００１９】
本発明装置の第８の特徴は、上記本発明装置の第７の特徴における前記カメラ転向突出手段が、前記端末本体の内部に固定され、前記内筒に伝達された前記回転力とは反対の逆回転力が当該内筒に外接する前記外筒に伝達されたときに、前記カメラ回転軸を中心とした前記外筒上の前記調整突起の逆周回運動を抑止して、当該外筒を、前記２つの摺動スリット内の前記２つのカメラ回転軸に沿って内側に摺動させる第２の突起抑止板をさらに有してなる、接写機能付き携帯端末の構成採用にある。
【００２０】
本発明装置の第９の特徴は、上記本発明装置の第７又は第８の特徴における前記調整突起が、前記外筒と一体に構成されてなる、接写機能付き携帯端末の構成採用にある。
【００２１】
本発明装置の第１０の特徴は、上記本発明装置の第７、第８又は第９の特徴における前記２つのカメラ回転軸及び前記カメラ回転円盤が、前記内筒と共に一体に構成されてなる、接写機能付き携帯端末の構成採用にある。
【００２２】
本発明装置の第１１の特徴は、上記本発明装置の第３、第４、第５、第６、第７、第８、第９又は第１０の特徴における前記回転力伝達手段が、前記本体カバーの前記軸支端に得られる前記回転力を直接受容する軸支回転筒と、この軸支回転筒と前記カメラ回転円盤との間に亙って張設された差動連結ベルトとを有してなる、接写機能付き携帯端末の構成採用にある。
【００２３】
本発明装置の第１２の特徴は、上記本発明装置の第１１の特徴における前記カメラ回転円盤及び前記軸支回転筒の直径が、等しい値に設定されてなる、接写機能付き携帯端末の構成採用にある。
【００２４】
【発明の実施の形態】
以下、本発明の実施の形態につき、添付図面を参照しつつ、本発明を携帯電話機に適用した場合を例に挙げて詳細に説明する。
【００２５】
まず、図１（ａ）乃至（ｃ）は、本発明の一実施形態例に係る接写機能付き携帯端末の外観構成図であり、同図（ａ）は同携帯端末の背面図、同図（ｂ）は同携帯端末の側面図、同図（ｃ）は同携帯端末の前面図である。
【００２６】
同図に示すように、本形態例に係る接写機能付き携帯端末（電話機）αは、端末本体１と、この端末本体１の一端において軸支回転筒２により軸支された本体カバー３とを具備して構成される。ここで、軸支回転筒２は、本体カバー３の軸支端３ａに得られる回転力を直接受容するよう機能する。
【００２７】
端末本体１には、その裏面に構成されるカメラ搭載面４にカメラ５及び被写体照明用のランプ６が配設されると共に、その正面（端末操作面）にモニタ画面７及びダイヤルボタン８が配設され、以上の各構成要素により、通常のカメラ付き携帯端末αとしての基本構成が得られる。
【００２８】
ここで、本体カバー３の主要面には、その未使用時においてカメラ５及びランプ６を外部に露出させることの可能な開口窓９が設けられると共に、端末本体１の正面には、そのカメラ搭載面４に対する本体カバー３の開扉角を最大約４５°に制限する開扉ストッパ１０が設けられる。さらに、本体カバー３の軸支端３ａ及び開扉ストッパ１０における両者の対向領域には、それぞれ、当該本体カバー３の開扉角が最大値の約４５°に達したときに電気的に接触する第１及び第２の電気接点１１及び１２が配設される。
【００２９】
次に、図２（ａ）及び（ｂ）は、図１に示した軸支回転筒２及びカメラ５並びにそれらの周辺構成要素の構成図であり、同図（ａ）は、本体カバー３が閉状態にあるときの機能説明図、同図（ｂ）は、同本体カバー３が開状態にあるときの機能説明図である。
【００３０】
同図に示すように、本体カバー３の軸支端３ａに設けられた第１の電気接点１１及び端末本体１の開扉ストッパ１０に設けられた第２の電気接点１２は、所要の被写体照明機構が得られるよう、共に、これら第１及び第２の電気接点１１及び１２の接触に伴ってランプ６に適正な電流を供給するランプ点灯回路１３に接続される。また、カメラ５には、カメラ回転円盤１４が設けられ、軸支回転筒２と当該カメラ回転円盤１４との間には、当該軸支回転筒２に得られる回転力をカメラ５に伝達する機構を得るための差動連結ベルト１５が交差して張設される。
【００３１】
ここで、本体カバー３の状態を、同図（ａ）に示す閉状態から同図（ｂ）に示す開状態に遷移させると、軸支回転筒２に得られる回転力が、差動連結ベルト１５の作用によりカメラ５のカメラ回転円盤１４に差動的に（逆回転方向に）伝達される。
【００３２】
このとき、軸支回転筒２及びカメラ回転円盤１４の双方の直径を等しい値に設定すれば、端末本体１の他端の側に対するカメラ５の転向角を本体カバー３の開扉角に連動させながら変化させることが可能となる。即ち、本体カバー３の最大開扉角は開扉ストッパ１０の作用により約４５°に設定されるため、カメラ５の最大転向角も約４５°に設定されるようになる。これら数値的要素は、任意の平坦面（図示せず）に載置された被写体（図示せず）にカメラ５を正対させる機構を提供する（詳細は後述）。
【００３３】
次に、図３（ａ）及び（ｂ）は、図１及び図２に示したカメラ５の転向機構を説明するための構成図であり、同図（ａ）は同カメラ５の側面図、同図（ｂ）は、同図（ａ）に示すＢ−Ｂ面における同カメラ５の一部縦断面図である。
【００３４】
同図に示すように、カメラ５は、所要の転向機構を得るために、レンズ１６を保持する外筒１７と、この外筒１７における対向する２箇所の側面部にレンズ１６の光軸方向に沿ってそれぞれ貫設された２つの摺動スリット１８と、外筒１７に内接する内筒１９と、外筒１７上の２つの摺動スリット１８内をそれぞれ貫通するよう内筒１９における対応する２箇所の外側面に突設され、端末本体１の内部において、レンズ１６の光軸を端末本体１の他端の側に転向させる軸方向にそれぞれ保持された２つのカメラ回転軸２０と、これら２つのカメラ回転軸２０に周設され、本体カバー３の軸支端３ａに得られる回転力を差動連結ベルト１５を介して受容すると共に、当該回転力を２つのカメラ回転軸２０を介して内筒１９に伝達する２つのカメラ回転円盤１４と、外筒１７の外側面にカメラ回転軸２０の軸方向に向かって突設された調整突起２１とを具備して構成される。
【００３５】
ここで、所要のカメラ転向機構を堅固なものとするために、調整突起２１を外筒１７と一体に構成し、さらに、２つのカメラ回転円盤１４及び２つのカメラ回転軸２０を内筒１９と共に一体に構成することが好ましい。
【００３６】
なお、本例では、２つのカメラ回転円盤１４を採用しているが、当該カメラ回転円盤１４は、２つのカメラ回転軸２０の少なくとも一方に周設されていれば足りる。但し、本例のように２つのカメラ回転円盤１４を採用し、これら２つのカメラ回転円盤１４と軸支回転筒２とを、対応する２本の差動連結ベルト１５を用いてそれぞれ連結するようにすれば、所要のカメラ転向機構がより堅固なものとなる。
【００３７】
次に、図４（ａ）及び（ｂ）は、図１乃至図３に示したカメラ５の突出機構を説明するための構成図であり、同図（ａ）は、同カメラ５が未突出状態にあるときの機能説明図、同図（ｂ）は、同カメラ５が既突出状態にあるときの機能説明図である。
【００３８】
同図に示すように、カメラ５には、所要の突出機構を得るために、端末本体１の内部に固定され、内筒１９に伝達された回転力が当該内筒１９に外接する外筒１７に伝達されたときに、カメラ回転軸２０を中心とした外筒１７上の調整突起２１の周回運動を抑止しながら、当該外筒１７を、２つの摺動スリット１８内の２つのカメラ回転軸２０に沿って外側に摺動させる第１の突起抑止板２２が具備される。
【００３９】
また、所要により、同じく端末本体１の内部に固定され、内筒１９に伝達された回転力とは反対の逆回転力が当該内筒１９に外接する外筒１７に伝達されたときに、カメラ回転軸２０を中心とした外筒１７上の調整突起２１の周回運動を抑止しながら、当該外筒１７を、２つの摺動スリット１８内の２つのカメラ回転軸２０に沿って内側に摺動させる第２の突起抑止板２３を具備させてもよい。
【００４０】
次に、図５（ａ）及び（ｂ）は、図１乃至図４に示した構成により得られた接写機能付き携帯端末αの使用形態図であり、同図（ａ）は、本体カバー３が閉状態にあるときの機能説明図、同図（ｂ）は、同本体カバー３が開状態にあるときの機能説明図である。
【００４１】
同図に示すように、接写機能付き携帯端末αの本体カバー３の状態を、当該接写機能付き携帯端末αの携帯時における同図（ａ）の閉状態、即ち、カメラ５（レンズ１６）の光軸がカメラ搭載面４に対して垂直な状態から、同接写機能付き携帯端末αの傾斜保持時における同図（ｂ）の開状態に遷移させると、カメラ搭載面４上のカメラ５が、図３及び図４で説明した転向突出機構により端末本体１の他端の側に転向突出動作を行って、撮影領域及び焦点の調整を行うと同時に、同カメラ搭載面４上のランプ６が、図２で説明した被写体照明機構により点灯して、机上などの任意の平坦面２４上に載置された被写体２５を照明する。
【００４２】
ここで、当該接写機能付き携帯端末αにより得られる本体傾斜保持機構は、本体カバー３の開放端３ｂ及び端末本体１の他端（下端）を平坦面２４への設置点とすることにより実現される。このとき、カメラ５を平坦面２４上の被写体２５に正対させる（カメラ５の光軸を被写体２５に対し垂直にする）には、前述したように、本体カバー３の開扉角が開扉ストッパ１０により約４５°に設定され、これに伴ってカメラ５の転向角も約４５°に設定されることから、端末本体１のカメラ搭載面４が平坦面２４（被写体２５）と約４５°を成すように当該端末本体１を傾斜させて保持する必要がある。
【００４３】
これを実現するには、本体カバー３の長手方向の長さを、その開扉角が最大値の約４５°に達した状態において、端末本体１の傾斜保持時におけるカメラ搭載面４と平坦面２４との間の角度が約４５°を成すときの長さに設定し、当該接写機能付き携帯端末αの傾斜保持時に、本体カバー３が平坦面２４（被写体２５）に対して垂直に起立するようにするとよい。
【００４４】
以上、本発明の実施の形態につき、本発明を携帯電話機に適用した場合を例に挙げて説明したが、本発明は、必ずしも上述した手段にのみ限定されるものではなく、例えば携帯用ＰＣへの適用など、後述する効果を有する範囲内において、適宜、変更実施することが可能なものである。
【００４５】
【発明の効果】
以上、詳細に説明したように、本発明によれば、焦点ずれ、手ぶれ、あおり効果、照明不足などの問題が解消されて、被写体の接写を確実かつ適正に行うことが可能になると同時に、所要の接写に際して、被写体に対しカメラを自動的に正対させることが可能となる。
【図面の簡単な説明】
【図１】本発明の一実施形態例に係る接写機能付き携帯端末の外観構成図であり、同図（ａ）は同携帯端末の背面図、同図（ｂ）は同携帯端末の側面図、同図（ｃ）は同携帯端末の前面図である。
【図２】図１に示した軸支回転筒及びカメラ並びにそれらの周辺構成要素の構成図であり、同図（ａ）は、本体カバーが閉状態にあるときの機能説明図、同図（ｂ）は、同本体カバーが開状態にあるときの機能説明図である。
【図３】図１及び図２に示したカメラの転向機構を説明するための構成図であり、同図（ａ）は同カメラの側面図、同図（ｂ）は、同図（ａ）に示すＢ−Ｂ面における同カメラの一部縦断面図である。
【図４】図１乃至図３に示したカメラの突出機構を説明するための構成図であり、同図（ａ）は、同カメラが未突出状態にあるときの機能説明図、同図（ｂ）は、同カメラが既突出状態にあるときの機能説明図である。
【図５】図１乃至図４に示した構成により得られた接写機能付き携帯端末の使用形態図であり、同図（ａ）は、本体カバーが閉状態にあるときの機能説明図、同図（ｂ）は、同本体カバーが開状態にあるときの機能説明図である。
【符号の説明】
α…接写機能付き携帯端末（電話機）
１…端末本体
２…軸支回転筒
３…本体カバー
３ａ…軸支端
３ｂ…開放端
４…カメラ搭載面
５…カメラ
６…ランプ
７…モニタ画面
８…ダイヤルボタン
９…開口窓
１０…開扉ストッパ
１１…第１の電気接点
１２…第２の電気接点
１３…ランプ点灯回路
１４…カメラ回転円盤
１５…差動連結ベルト
１６…レンズ
１７…外筒
１８…摺動スリット
１９…内筒
２０…カメラ回転軸
２１…調整突起
２２…第１の突起抑止板
２３…第２の突起抑止板
２４…平坦面
２５…被写体
【図１】
2004179775.tif 000003
【図２】
2004179775.tif 000004
【図３】
2004179775.tif 000005
【図４】
2004179775.tif 000006
【図５】
2004179775.tif 000007